(57)【要約】  【課題】  レンズの振動がリング操作部に伝わり、操作性が悪い  【解決手段】レンズとアクセサリ取付け部の間に断面の小さな弾性材を介し、アクセサリ取付け部と操作部の間に断面の大きな弾性材を介して保持することで、アクセサリとレンズの光軸をあわせつつ操作部に振動を伝えないため、小型で操作性の良いビデオカメラを提供する【選択図】図４
2019139035.tif 000002
【特許請求の範囲】
【請求項１】
複数レンズを保持するレンズ鏡筒と、
レンズ前にアクセサリを付属することができるアクセサリ固定部品と、
前記アクセサリ固定部品を覆う外装カバーを有し、
前記アクセサリ固定部品と前記外装カバーは第一の弾性材を介して保持され、
前記アクセサリ固定部品と前記レンズ鏡筒は第二の弾性材を介して保持されていることを特徴とする撮像装置
【請求項２】
前記レンズ鏡筒の外周を覆う操作リングユニットを有し、
操作リングユニットと前記外装カバーが固定されることを特徴とする請求項１に記載の撮像装置。
【請求項３】
前記第一の弾性体または第二の弾性体はリング状で、
前記第一の弾性体の断面積は前記第二の弾性体の断面積より大きいことを特徴とする請求項１または２に記載の撮像装置。
【請求項４】
前記第一の弾性体と前記第二の弾性体は硬度が異なる材料にて成型されていることを特徴とする
請求項１乃至３のいずれか１項に記載の撮像装置。
【発明の詳細な説明】
【技術分野】
【０００１】
本発明は、撮像装置のアクセサリ取付け部に関するものである
【背景技術】
【０００２】
ビデオカメラには、ユーザーが所望の映像を撮影するためにさまざなま入力操作部が搭載されている。そのうちの１つの入力操作部として、撮影画像の画角を調整するためのズームレバーがある。ズームレバーを操作すると、レンズをモーターなどで動かして画角を変えることができる（特許文献１）。また、ユーザーが所望の映像を撮影するために、レンズに入る不要な入射光を遮光するためのフードや、映像の特殊効果を出すためのフィルタがレンズ前に取り付けられるものがある。
【０００３】
また別の入力操作部として、リング形状の部材を回転させることで入力操作するマニュアル操作リングがある。このマニュアル操作リングは、主に撮像レンズの周囲に配置されて、その光軸上に回転中心を持つ機構が採用されている（特許文献２）。
【先行技術文献】
【特許文献】
【０００４】
【特許文献１】特開２０１２−５３１９２号公報
【特許文献２】特開２０１５−１７６０４０号公報
【発明の概要】
【発明が解決しようとする課題】
【０００５】
しかしながら、画角を変えるためにレンズを動かすと、モータなどの駆動部より振動が発生し、レンズより発生した振動はレンズ近傍の外装に伝播することがある。そのためレンズ回りの操作部であるマニュアル操作リングにも振動が伝わり、ユーザーによる操作感が低下する問題があった。一方、レンズの振動が伝わらないように、振動を吸収するゴムを介在することで外装に振動を伝えないものがある。しかし、ゴムを介在することでレンズ前のアクセサリ取付け外装とレンズの光軸が合わなくなり、フードやフィルタ装着時のケラレが発生するといった問題があった。
【課題を解決するための手段】
【０００６】
本発明の撮像装置は、複数レンズを保持するレンズ鏡筒と、レンズ前にアクセサリを付属することができるアクセサリ固定部品と、前記アクセサリ固定部品を覆う外装カバーを有し、前記アクセサリ固定部品と前記外装カバーは第一の弾性材を介して保持され、前記アクセサリ固定部品と前記レンズ鏡筒は第二の弾性材を介して保持されていることを特徴とする。
【０００７】
また、本発明の他の特徴とするところは、前記レンズ鏡筒の外周を覆う操作リングユニットを有し、操作リングユニットと前記外装カバーが固定されることを特徴とする。
【０００８】
また、本発明の他の特徴とするところは、前記第一の弾性体または第二の弾性体はリング状で、前記第一の弾性体の断面積は前記第二の弾性体の断面積より大きいことを特徴とする。
【０００９】
また、２つの弾性体は硬度が異なる材料にて成型されていることを特徴とする
【発明の効果】
【００１０】
以上、述べたとおり、レンズとアクセサリ取付け部の間に断面の小さな弾性材を介し、アクセサリ取付け部と操作部の間に断面の大きな弾性材を介して保持することで、アクセサリとレンズの光軸をあわせつつ操作部に振動を伝えないため、小型で操作性の良いビデオカメラを提供することができる。
【図面の簡単な説明】
【００１１】
【図１】実施例の斜視図
【図２】実施例の斜視図
【図３】実施例のシステム図
【図４】実施例の分解斜視図
【図５】実施例の断面図
【図６】実施例のＡ部の拡大断面図
【図７】実施例のＢ部の拡大断面図
【発明を実施するための形態】
【００１２】
＜第１の実施形態＞
図１、図２で本実施形態の撮像装置の構成要素について簡単に説明する。図１、２は撮像装置の斜視図であり、撮像装置１００、撮像レンズ１０１、撮影画像や記録映像を表示するビューファインダー１０２、撮像装置の電源スイッチ１０３、撮影画像の画角を調整するためのズームレバー１０４、記録の開始停止を指示するトリガースイッチ１０５、被写体や周囲の音声を入力するための内蔵マイク１０６である。１０７，１０８，１０９は操作リングで、撮像レンズ１０１の周囲に配置され、光軸１１０に回転中心を持つ回転可能に構成された操作部である。
【００１３】
ここでこれら３本の操作リングについて説明する。図の３連リングのうち、被写体の焦点を合わせるためのフォーカスリング１０７、撮影画像の画角を調整するためのズームリング１０８、被写体の明るさを調整するための絞りリング１０９である。
【００１４】
＜ブロック図の説明＞
図３は、撮像装置１００を使用して撮影を行う際の撮像装置内部のシステムをブロック図で説明した図である。この図を用いて、カメラマンが撮像装置１００を操作したときの撮像装置１００内部の信号の流れを説明する。まずカメラマンは電源スイッチ１０３を操作して撮像装置１００の電源を入れる。撮像装置１００の電源が入ると、撮像レンズ１０１を通して結像した撮影画像が撮像部１１１で結像され映像信号として出力する。このとき撮像部１１１とは、ＣＣＤやＣＭＯＳなどの撮像素子のことである。
【００１５】
次に、撮像部１１１で出力した映像信号を増幅し、信号処理部１１２に送信する。信号処理部１１２では、システム制御部１１３からの指示に従って映像信号の処理を行い、その結果が反映された映像信号をビューファインダー１０２に送る。
【００１６】
次にカメラマンは、ビューファインダー１０２で映像を確認し、使用状況に合わせてズームレバー１０４、またはズームリング１０８を操作して撮影画角を決定する。続いて、被写体の焦点を合わせるためにフォーカスリング１０７を操作し、同時に被写体の明るさを調整するために絞りリング１０９を操作する。このとき、ズームレバー１０４や３つの操作リング（１０７，１０８，１０９）の操作信号はシステム制御部１１３に入り、システム制御部１１３が、撮像レンズ１０１に内蔵された不図示の焦点レンズ、ズームレンズ、絞り調整機構を動作させるよう指示を出す。
【００１７】
こうして被写体の画角、焦点、明るさが決まったら、カメラマンはトリガースイッチ１０５を操作して映像の記録を開始する。トリガースイッチ１０５の操作により、操作信号がシステム制御部１１３送られ、映像を記録媒体１１４に記録する。同時に、内蔵マイク１０６から取り込まれた音声信号を映像信号と同期して記録媒体１１４に記録する。 
【００１８】
＜レンズ周辺の構成＞
次に、レンズ周辺の構成について図４を用いて説明する。１１５はリングユニットで、フォーカスリング１０７、ズームリング１０８、絞りリング１０９が光軸中心に重ね合わせて組み立てられているユニットである。リングユニット１１５の状態では、リングがホルダで挟み込まれて保持され、各リングごとに回転動作できる構成になっている。リングユニット１１５の前にはレンズを覆うフィルタベース１１６部品がある。フィルタベース１１６にはレンズ前方の開口された穴と、フィルタやフードの取付け部がある。フィルタベース１１６の前にはホールドカバー１１７があり、フィルタベース１１６を挟んでホールドカバー１１７とリングユニット１１５をビス止めで固定する。リングユニットとホールドカバーを固定後、リングの内径側に撮像レンズ１０１を貫通して保持し撮像装置に固定する。
【００１９】
図５はレンズ周辺構成の断面図である。図５を用いてフィルタベース１１６の保持方法について説明する。フィルタベース１１６にはフィルタを固定するためのねじ部１１６−１やフードを取り付けるための爪部１１６−２がある。リングユニット１１５とホールドカバー１１７同士はねじで固定していて、その間にホールドカバー１１７を挟み込んで保持する。ホールドカバー１１７とフィルタベース１１６には環状の弾性体１１８を介している。一方、ホールドカバー１１７と撮像レンズ１０１の先端外周には環状の弾性体１１９を介している。
【００２０】
図６は、図５のＡ部拡大図で、図６を用いて弾性体１１８について説明する。弾性体１１８はホールドカバー１１７の撮像装置後方に開いた斜面１１７−１に当接する。これにより、フィルタベース１１６には弾性体から後方への付勢力Ｃと光軸中心に合わせる方向Ｄに力がかかる。
【００２１】
図７は、図５のＢ部拡大図で図７を用いて弾性体１１９について説明する。弾性体は撮像レンズ１０１の外周につけ、フィルタベース１１６の後方に開いた斜面１１６−３に当接する。これにより、斜面にかかる力の分力により、フィルタベース１１６は弾性体１１９から前方への付勢力Ｅとフィルタベースの穴全周にＦがかかることでフィルタベース１１６とレンズの光軸中心が合う位置に保持される。撮像レンズ外周の弾性体１１９は前述のホールドカバーの弾性体１１８に比べて断面積が小さいものである。
【００２２】
これにより、２つの弾性体（１１８、１１９）で前後に付勢されてることで、フィルタベース１１６を中立位置で保持する。ホールドカバー１１７に接する弾性体１１８は断面が大きく、圧縮幅を大きくとれるためレンズから伝わる振動を防ぐことができる。レンズ外周に接する弾性体１１９は断面が小さく、圧縮幅は小さいため、レンズとフィルタベース１１６の光軸をあわせやすい。
【００２３】
また、本発明の２つの弾性体（１１８、１１９）は、それぞれゴム素材の硬度が違ってもよい。ゴム素材の硬度が異なれば、振動の減衰特性は異なる。そのため、異なる振動特性を持つ２種類のゴムを組み合わせて保持することは、１種類のゴムで保持することに比べて、複数の周波数帯において効果的に振動を減衰することが可能となるため、振動ノイズを低減するためには有効な手段である。
【００２４】
以上、レンズとアクセサリ取付け部であるフィルタベース１１６の間に小さい弾性体１１９を介して光軸を合わせることで、フードやフィルタの光軸ずれを抑えられる。これにより、フードやフィルタのケラレが生じにくく、ずれを考慮して大きさに余裕をもたせる必要がなくなるため、小型化が可能である。また、アクセサリ取付け部と操作部の間に断面の大きな弾性体１１８を介して保持することで、弾性体が振動を吸収する。フィルタベース１１６近傍にはユーザーが接触するリング操作部があるが、弾性体を挟むことによって振動を伝えにくくなるため、操作性を改善することができる。以上により、小型で操作性の良いビデオカメラを実現することができる。
【符号の説明】
【００２５】
１００ ・・・・ 撮像装置
１０１ ・・・・ 撮像レンズ
１０２ ・・・・ ビューファインダー
１０３ ・・・・ 電源スイッチ
１０４ ・・・・ ズームレバー
１０５ ・・・・ トリガースイッチ
１０６ ・・・・ 内蔵マイク
１０７ ・・・・ フォーカスリング
１０８ ・・・・ ズームリング
１０９ ・・・・ 絞りリング
１１０ ・・・・ 光軸
１１１ ・・・・ 撮像部
１１２ ・・・・ 信号処理部
１１３ ・・・・ システム制御部
１１４ ・・・・ 記録媒体
１１５ ・・・・ リングユニット
１１６ ・・・・ フィルタベース
１１６−１ ・・・・ ねじ部
１１６−２ ・・・・ 爪部
１１６−３ ・・・・ 斜面
１１７ ・・・・ ホールドカバー
１１７−１ ・・・・ 斜面
１１８ ・・・・ 弾性体
１１９ ・・・・ 弾性体
【図１】
2019139035.tif 000003
【図２】
2019139035.tif 000004
【図３】
2019139035.tif 000005
【図４】
2019139035.tif 000006
【図５】
2019139035.tif 000007
【図６】
2019139035.tif 000008
【図７】
2019139035.tif 000009